(57)【要約】  物品を吊り下げる際に使用するための固定アセンブリ（１０）であって、物品への挿入のための挿入構成（１４）と、挿入構成をコネクタ（１０４）に取り付けるための取り付け構成（１２）とを備えている。コネクタは、固定アセンブリ（１０）を細長い吊り下げ部材（１００）に接続するように構成されている。挿入構成（１４）と取り付け構成（１２）のそれぞれは、吊り下げ部材（１００）が固定アセンブリ（１０）を通して挿入されることを可能にするそれぞれの貫通路（４６、４８）を規定する。【選択図】図８
2020509306.tif 000002
【特許請求の範囲】
【請求項１】
物品を吊り下げる際に使用するための固定アセンブリであって、
前記物品への挿入のための挿入構成と、
前記挿入構成をコネクタに取り付けるための取り付け構成とを備え、
前記コネクタは、前記固定アセンブリを細長い吊り下げ部材に接続するように構成され、
前記挿入構成と前記取り付け構成のそれぞれは、前記吊り下げ部材が前記固定アセンブリを通して挿入されることを可能にするそれぞれの貫通路を規定する、固定アセンブリ。
【請求項２】
前記挿入構成を通して伸長する前記通路は、前記取り付け構成を通して伸長する前記通路と実質的に同軸上に並ぶ、請求項１に記載の固定アセンブリ。
【請求項３】
前記挿入構成は、前記物品に挿入される挿入部分を備える、請求項１または２に記載の固定アセンブリ。
【請求項４】
前記挿入部分は、その上にねじ山を有する、請求項３に記載の固定アセンブリ。
【請求項５】
前記挿入構成は、前記挿入部分上に負荷分散部分をさらに含み、前記負荷分散部分は、前記挿入部分から径方向に外側に伸長する、請求項４に記載の固定アセンブリ。
【請求項６】
前記挿入部分は円錐形であり、前記挿入部分上の前記ねじ山は円錐形であり、それにより、前記挿入構成は、前記物品にねじ止めされることができる、請求項５に記載の固定アセンブリ。
【請求項７】
前記負荷分散部分は、前記挿入部分から径方向に外側に伸長する第１のフランジを備える、請求項５または６に記載の固定アセンブリ。
【請求項８】
前記挿入部分は、ツールを収容するためのツール収容空洞を規定し、前記ツールは、前記挿入構成を前記物品に押し込むように構成され、前記ツール収容空洞は、前記挿入部分中の開口から内側に伸長する、請求項５、６または７に記載の固定アセンブリ。
【請求項９】
前記ツール収容空洞は、前記挿入構成を前記物品に押し込むために使用されることができるキーを収容するための多角形のソケットを含む、請求項８に記載の固定アセンブリ。
【請求項１０】
前記挿入構成と前記取り付け構成は、前記取り付け構成を前記挿入構成に接合するための共同接合構造を備える、請求項８または９に記載の固定アセンブリ。
【請求項１１】
前記取り付け構成は、前記ツール収容空洞中に収容されることができる誘導部材を備え、前記取り付け構成中の前記通路は、前記誘導部材を通して伸長する、請求項１０に記載の固定アセンブリ。
【請求項１２】
前記誘導部材は、前記細長い吊下げ部材を前記挿入構成によって規定される前記貫通路に誘導するように構成され、それにより、前記細長い吊下げ部材が前記挿入構成中の前記通路を通して伸長するように、前記細長い吊下げ部材は前記誘導部材を通して構成される、請求項１１に記載の固定アセンブリ。
【請求項１３】
接合構造は、前記挿入構成の挿入部分上に第１の接合構造を備え、前記接合構造は、前記取り付け構成の前記誘導部材上に第２の接合構造をさらに含む、請求項１０、１１または１２に記載の固定アセンブリ。
【請求項１４】
前記第１および第２の接合構造は、それぞれ第１および第２の突出部材を備え、前記第１の突出部材は、前記取り付け構成を前記挿入構成に接合するように、前記第２の突出部材を係合する、請求項１３に記載の固定アセンブリ。
【請求項１５】
前記第１の突出部材の背後で係合する前記第２の突出部材により、前記取り付け構成は、前記挿入構成に接合される、請求項１４に記載の固定アセンブリ。
【請求項１６】
前記第１および第２の突出部材のうちの一方は、前記挿入構成または前記取り付け構成によって規定される収容構造に渡って伸長し、前記第１および第２の突出部材のうちの他方は、前記収容構造中に収容されるように外側に伸長する、請求項１４または１５に記載の固定アセンブリ。
【請求項１７】
前記第１の突出部材は、前記挿入構成の前記ツール収容空洞に渡って伸長し、前記第２の突出部材は、前記取り付け構成の前記誘導部材から外側に伸長する、請求項１４、１５または１６に記載の固定アセンブリ。
【請求項１８】
前記第１の突出部材は、前記ツール収容空洞を突出する突出部材の形態であり、前記第２の接合構造は、前記ツール収容空洞中に配置されてもよく、それにより、前記取り付け構成をねじることは、前記挿入構成の前記取り付け構成への接合に影響を及ぼす、請求項１４から１７のうちのいずれか１項に記載の固定アセンブリ。
【請求項１９】
前記取り付け構成は、前記第２の接合構造が前記空洞中に収容されるとき、前記負荷分散部分を係合するための係合構造を含む、請求項１４から１８のうちのいずれか１項に記載の固定アセンブリ。
【請求項２０】
前記係合構造は、第２のフランジを備える、請求項１９に記載の固定アセンブリ。
【請求項２１】
前記係合構造と負荷分散構造は、前記取り付け構成と前記挿入構成が互いに接合するとき、これらを互いにロックするための共同ロック構造を含む、請求項１９または２０に記載の固定アセンブリ。
【請求項２２】
前記ロック構造は、前記負荷分散構造と前記係合構造を互いにロックするように互いに共同できる、傾斜くぼみと傾斜隆起を備える、請求項２１に記載の固定アセンブリ。
【請求項２３】
前記ロック構造は、１組の傾斜くぼみと、１組の傾斜隆起を備える、請求項２２に記載の固定アセンブリ。
【請求項２４】
間隙は、前記第２の接合構造と前記係合構造との間に規定され、前記取り付け構成は、前記第２の接合構造と前記係合構造との間の前記間隙中に収容される前記第１の接合構造によって前記挿入構成に接合される、請求項１９から２３のうちのいずれか１項に記載の固定アセンブリ。
【請求項２５】
前記第１の接合構造は、前記ツール収容空洞に渡って互いに対向して構成されている１組の前記第１の突出部材を備えていてもよい、請求項１４から２４のうちのいずれか１項に記載の固定アセンブリ。
【請求項２６】
前記第２の接合構造は、前記誘導部材から互いに対抗して伸長する１組の前記第２の突出部材を備える、請求項１４から２５のうちのいずれか１項に記載の固定アセンブリ。
【請求項２７】
前記取り付け構成は、前記取り付け構成を前記コネクタに締結するための締結構造をさらに含む、請求項１から２６のうちのいずれか１項に記載の固定アセンブリ。
【請求項２８】
前記締結構造はねじ切りされ、一方を他方にねじ止めすることにより、前記コネクタと前記取り付け構成が互いに締結されることができる、請求項２７に記載の固定アセンブリ。
【請求項２９】
前記締結構造は、ねじ切りされた突起を含み、それにより、前記ねじ切りされた突起は、前記締結構造を前記コネクタに締結するように前記コネクタ中のねじ穴にねじ止めされることができる、請求項２８に記載の固定アセンブリ。
【請求項３０】
物品への挿入のための挿入部分と挿入構成を取り付け構成に接合するための共同接合構造とを備える前記挿入構成であって、前記挿入部分は、吊下げ部材が貫通路を通して挿入されることを可能にする前記貫通路を規定する、挿入構成。
【請求項３１】
前記挿入部分は、その上にねじ山を有する、請求項３０に記載の挿入構成。
【請求項３２】
前記挿入構成は、前記挿入部分上に負荷分散部分をさらに含み、前記負荷分散部分は、前記挿入部分から径方向に外側に伸長する、請求項３１に記載の挿入構成。
【請求項３３】
前記挿入部分は円錐形であり、前記挿入部分上の前記ねじ山は円錐形であり、それにより、前記挿入構成は、前記物品にねじ止めされることができる、請求項３２に記載の挿入構成。
【請求項３４】
前記負荷分散部分は、前記挿入部分から径方向に外側に伸長する第１のフランジを備える、請求項３２または３３に記載の挿入構成。
【請求項３５】
前記挿入部分は、ツールを収容するためのツール収容空洞を規定し、前記ツールは、前記挿入構成を前記物品に押し込むように構成され、前記ツール収容空洞は、前記挿入部分中の開口から内側に伸長する、請求項３２、３３または３４に記載の挿入構成。
【請求項３６】
前記ツール収容空洞は、前記挿入構成を前記物品に押し込むために使用されることができるキーを収容するための多角形のソケットを含む、請求項３５に記載の挿入構成。
【請求項３７】
前記取り付け構成の第２の接合構造と共同し、前記取り付け構成を前記挿入構成に接合するように、前記挿入部分上に第１の接合構造を備える、請求項３４、３５または３６に記載の挿入構成。
【請求項３８】
前記第１の接合構造は、第１の突出部材を備える、請求項３７に記載の挿入構成。
【請求項３９】
前記第１の突出部材は、前記挿入構成の前記ツール収容空洞に渡って伸長し、第２の突出部材は、前記取り付け構成の誘導部材から外側に伸長する、請求項３８に記載の挿入構成。
【請求項４０】
前記第１の突出部材は、前記ツール収容空洞を突出する突出部材の形態である、請求項３８または３９に記載の挿入構成。
【請求項４１】
挿入構成を細長い吊り下げ部材に取り付けるための取り付け構成であって、
前記取り付け構成を挿入構成に接合するための共同接合構造を備え、
前記取り付け構成は、前記吊り下げ部材が貫通路を通して挿入されることを可能にする前記貫通路を規定する、取り付け構成。
【請求項４２】
前記挿入構成によって収容されることができる誘導部材を備え、前記取り付け構成中の前記通路は、前記誘導部材を通して伸長する、請求項４１に記載の取り付け構成。
【請求項４３】
前記誘導部材は、前記細長い吊下げ部材を前記挿入構成によって規定される前記貫通路に誘導するように構成され、それにより、前記細長い吊下げ部材が前記挿入構成中の前記通路を通して伸長するように、前記細長い吊下げ部材は前記誘導部材を通して構成される、請求項４２に記載の取り付け構成。
【請求項４４】
前記挿入構成の第１の接合構造と共同し、前記取り付け構成を前記挿入構成に接合するために、前記誘導部材上に第２の接合構造を備える、請求項４１、４２または４３に記載の取り付け構成。
【請求項４５】
前記第１および第２の接合構造は、それぞれ第１および第２の突出部材を備え、前記第１の突出部材は、前記取り付け構成を前記挿入構成に接合するように、前記第２の突出部材を係合する、請求項４４に記載の取り付け構成。
【請求項４６】
前記第１の突出部材の背後で係合する前記第２の突出部材により、前記取り付け構成は、前記挿入構成に接合される、請求項４５に記載の取り付け構成。
【請求項４７】
前記第１および第２の突出部材のうちの一方は、前記挿入構成または前記取り付け構成によって規定される収容構造に渡って伸長し、前記第１および第２の突出部材のうちの他方は、前記収容構造中に収容されるように外側に伸長する、請求項４５または４６に記載の取り付け構成。
【請求項４８】
前記第１の突出部材は、前記挿入構成のツール収容空洞に渡って伸長し、前記第２の突出部材は、前記取り付け構成の前記誘導部材から外側に伸長する、請求項４５、４６または４７に記載の取り付け構成。
【請求項４９】
前記第１の突出部材は、前記ツール収容空洞を突出する突出部材の形態であり、前記第２の接合構造は、前記ツール収容空洞中に配置されてもよく、それにより、前記取り付け構成をねじることは、前記挿入構成の前記取り付け構成への接合に影響を及ぼす、請求項４５から４８のうちのいずれか１項に記載の取り付け構成。
【請求項５０】
前記取り付け構成は、前記第２の接合構造が前記空洞中に収容されるとき、負荷分散部分を係合するための係合構造を含む、請求項４５から４９のうちのいずれか１項に記載の取り付け構成。
【請求項５１】
前記係合構造は、第２のフランジを備える、請求項５０に記載の取り付け構成。
【請求項５２】
前記係合構造と負荷分散構造は、前記取り付け構成と前記挿入構成が互いに接合するとき、これらを互いにロックするための共同ロック構造を含む、請求項５０または５１に記載の取り付け構成。
【請求項５３】
前記ロック構造は、前記負荷分散構造と前記係合構造を互いにロックするように互いに共同できる、傾斜くぼみと傾斜隆起を備える、請求項５２に記載の取り付け構成。
【請求項５４】
前記ロック構造は、１組の傾斜くぼみと、１組の傾斜隆起を備える、請求項５３に記載の取り付け構成。
【請求項５５】
間隙は、前記第２の接合構造と前記係合構造との間に規定され、前記取り付け構成は、前記第２の接合構造と前記係合構造との間の前記間隙中に収容される前記第１の接合構造によって前記挿入構成に接合される、請求項５０から５４のうちのいずれか１項に記載の取り付け構成。
【請求項５６】
前記第１の接合構造は、前記ツール収容空洞に渡って互いに対向して構成されている１組の前記第１の突出部材を備えていてもよい、請求項４５から５５のうちのいずれか１項に記載の取り付け構成。
【請求項５７】
前記第２の接合構造は、前記誘導部材から互いに対抗して伸長する１組の前記第２の突出部材を備える、請求項４５から５５のうちのいずれか１項に記載の取り付け構成。
【請求項５８】
前記取り付け構成は、前記取り付け構成をコネクタに締結するための締結構造をさらに含む、請求項４５から５７のうちのいずれか１項に記載の取り付け構成。
【請求項５９】
前記締結構造はねじ切りされ、一方を他方にねじ止めすることにより、前記コネクタと前記取り付け構成が互いに締結されることができる、請求項５８に記載の取り付け構成。
【請求項６０】
前記締結構造は、ねじ切りされた突起を含み、それにより、前記ねじ切りされた突起は、前記締結構造を前記コネクタに締結するように前記コネクタ中のねじ穴にねじ止めされることができる、請求項５９に記載の取り付け構成。
【請求項６１】
前記取り付け構成は、前記ツール収容空洞中に収容されることができる誘導部材を備え、前記取り付け構成中の前記通路は、前記誘導部材を通して伸長する、請求項６０に記載の取り付け構成。
【請求項６２】
前記誘導部材は、前記細長い吊下げ部材を前記挿入構成によって規定される前記貫通路に誘導するように構成される、請求項６１に記載の取り付け構成。
【請求項６３】
接合構造は、前記取り付け構成を前記挿入構成に接合するために、前記取り付け構成の前記誘導部材上に設けられる、請求項６２に記載の取り付け構成。
【請求項６４】
前記接合構造は、突出部材を備え、前記突出部材は、前記挿入構成の対応する突出部材を係合し、前記取り付け構成を前記挿入構成に接合する、請求項６３に記載の取り付け構成。
【請求項６５】
前記突出部材は、前記誘導部材から外側に伸長する、請求項６４に記載の取り付け構成。
【請求項６６】
前記取り付け構成は、前記第２の接合構造が前記空洞中に収容されるとき、前記負荷分散部分を係合するための係合構造を含む、請求項６４または６５に記載の取り付け構成。
【請求項６７】
前記係合構造は、第２のフランジを備える、請求項６６に記載の取り付け構成。
【請求項６８】
前記係合構造は、前記取り付け構成と前記挿入構成が互いに接合するとき、これらを互いにロックするための共同ロック構造を含む、請求項６６または６７に記載の取り付け構成。
【請求項６９】
前記ロック構造は、傾斜くぼみと傾斜隆起のうちの一方を備え、これは、前記負荷分散構造と前記係合構造を互いにロックするように前記傾斜くぼみと前記傾斜隆起のうちの他方と共同できる、請求項６８に記載の取り付け構成。
【請求項７０】
間隙は、前記接合構造と前記係合構造との間に規定される、請求項６９に記載の取り付け構成。
【請求項７１】
前記接合構造は、前記誘導部材から互いに対抗して伸長する１組の前記第１の突出部材を備える、請求項６４から７０のうちのいずれか１項に記載の取り付け構成。
【請求項７２】
前記取り付け構成は、前記取り付け構成を前記コネクタに締結するための締結構造をさらに含む、請求５８から７１のうちのいずれか１項に記載の取り付け構成。
【請求項７３】
前記締結構造はねじ切りされ、一方を他方にねじ止めすることにより、前記コネクタと前記取り付け構成が互いに締結されることができる、請求項７２に記載の取り付け構成。
【請求項７４】
前記締結構造は、ねじ切りされた突起を含み、前記ねじ切りされた突起は、前記締結構造を前記コネクタに締結するように前記コネクタ中のねじ穴にねじ止めされることができる、請求項７３に記載の取り付け構成。
【請求項７５】
請求項１に記載の固定アセンブリを使用する方法であって、
挿入構成を物品に挿入することと、
前記コネクタを前記細長い吊下げ部材に接続することを備える、方法。
【請求項７６】
前記挿入構成と前記取り付け構成中の通路を通して、および前記物品を通して、前記細長い吊下げ部材をさらなる固定アセンブリとさらなる物品に配置することをさらに含む、請求項７５に記載の方法。
【請求項７７】
前記挿入構成が前記物品に挿入されるとき、前記物品中に穴を形成するステップをさらに含み、前記穴を形成するステップは、前記挿入構成中の前記通路を通して、および、前記物品を通して、穿孔ツールを押すことを備える、請求項７６に記載の方法。
【請求項７８】
前記挿入構成は、ねじ切りされた挿入部分を備え、前記方法は、前記挿入構成を前記物品にねじ止めすることを備える、請求項７７に記載の方法。
【請求項７９】
前記挿入部分は、ツールを収容するためのツール収容空洞を規定し、前記方法は、前記挿入構成を前記物品に挿入することと、ツールを前記ツール収容空洞に挿入することと、前記挿入構成を前記物品にさらに押し込むように前記ツールを回転させることとを備える、請求項７７に記載の方法。
【請求項８０】
前記取り付け構成は、前記ツール収容空洞中に収容されることができる誘導部材を備え、
前記誘導部材は、前記細長い吊下げ部材を前記挿入構成によって規定される前記貫通路に誘導するように構成されてもよく、
方法は、前記細長い吊下げ部材が前記挿入構成中の前記通路を通して伸長するように、前記誘導部材を通して前記細長い吊下げ部材を構成することを備える、請求項７９に記載の方法。
【請求項８１】
前記挿入構成と前記取り付け構成は、前記取り付け構成を前記挿入構成に接合するための共同接合構造を備え、
前記方法は、
前記ツール収容空洞中に第２の接合構造を配置することと、
前記挿入構成の前記取り付け構成への接合に影響を及ぼすように、前記取り付け構成をねじることとを備える、請求項７９または８０に記載の方法。
【請求項８２】
前記取り付け構成は、前記取り付け構成を前記コネクタに締結するための締結構造をさらに含み、
前記方法は、
一方を他方にねじ止めすることにより、前記取り付け構成と前記コネクタを互いに締結することを備える、請求項７５から８１のうちのいずれか１項に記載の方法。
【請求項８３】
前記締結構造は、ねじ切りされた突起を含み、
前記方法は、前記締結構造を前記コネクタに締結するように、前記突起を前記コネクタ中のねじ穴にねじ止めすることを備える、請求項８２に記載の方法。
【発明の詳細な説明】
【技術分野】
【０００１】
本発明は固定アセンブリに関する。排他的ではないが、より具体的には、本発明は、パネル、例えば、音響パネルを吊り下げる際に使用するための固定デバイスに関する。本発明は、固定アセンブリにおける使用のための、挿入構成にも関する。
【０００２】
音響パネルは、ピンのような適切な器具に取り付けされたケーブルを使用することにより、天井から吊下げられることができる。しかしながら、１つより多くの層にパネルを吊下げることを望む場合、このような器具は、このような固定具は不利であることがある。
【概要】
【０００３】
本発明の１つの態様にしたがうと、物品を吊り下げる際に使用するための固定アセンブリが提供され、物品への挿入のための挿入構成と、挿入構成をコネクタに取り付けるための取り付け構成とを備え、コネクタは、固定アセンブリを細長い吊り下げ部材に接続するように構成され、挿入構成と取り付け構成のそれぞれは、吊り下げ部材が固定アセンブリを通して挿入されることを可能にするそれぞれの貫通路を規定する。
【０００４】
本発明の別の態様にしたがうと、直前の段落で説明したような固定アセンブリを使用する方法が提供され、前記方法は、挿入構成を物品に挿入することと、コネクタを前記細長い吊下げ部材に接続することを備える。
【０００５】
方法は、挿入構成と取り付け構成中の通路を通して、および物品を通して、細長い吊下げ部材をさらなる固定アセンブリとさらなる物品に配置することをさらに含んでいてもよい。
【０００６】
細長い吊り下げ部材は、ケーブル、ワイヤ、ワイヤロープ、または、これらに類するものを備えていてもよい。
【０００７】
方法は、挿入構成がそこに挿入されるとき、物品中に穴を形成することを含んでいてもよい。穴を形成するステップは、挿入構成中の通路を通して、および、物品を通して、穿孔ツールを押すことを備えていてもよい。
【０００８】
物品は、遮音パネルのような防音パネルであってもよい。
【０００９】
挿入構成を通して伸長する通路は、取り付け構成を通して伸長する通路と実質的に同軸上に並んでもよい。
【００１０】
挿入構成は、物品に挿入される挿入部分を備えていてもよい。
【００１１】
挿入構成と取り付け構成は、取り付け構成を挿入構成に接合するための共同接合構造を備えていてもよい。
【００１２】
本発明の別の態様にしたがうと、物品への挿入のための挿入部分と挿入構成を取り付け構成に接合するための共同接合構造とを備える挿入構成が提供され、挿入部分は、吊下げ部材が貫通路を通して挿入されることを可能にする貫通路を規定する。
【００１３】
挿入部分は、その上にねじ山を有していてもよい。挿入構成は、挿入部分上に負荷分散部分をさらに含んでいてもよい。負荷分散部分は、挿入部分から径方向に外側に伸長してもよい。
【００１４】
挿入部分は円錐形であってもよい。挿入部分上のねじ山は円錐形であってもよい。方法は、挿入構成を物品にねじ止めすることを備えていてもよい。
【００１５】
負荷分散部分は、挿入部分から径方向に外側に伸長してもよい。１つの実施形態において、負荷分散部分は、挿入部分から径方向に外側に伸長してもよい第１のフランジを備えていてもよい。
【００１６】
挿入部分は、ツールを収容するためのツール収容空洞を規定してもよく、ツールは、挿入構成を物品に押し込むように構成されている。ツール収容空洞は、挿入部分中の開口から内側に伸長してもよい。
【００１７】
ツール収容空洞は、ツールを収容するための多角形のソケットを含んでいてもよい。ツールは、挿入構成を物品に押し込むために使用されることができるキーであってもよい。方法は、挿入構成を物品に挿入し、キーをソケット中に置き、挿入構成を物品にさらに押し込むようにキーを回転させることを備えていてもよい。
【００１８】
本発明の別の態様にしたがうと、挿入構成を細長い吊り下げ部材に取り付けるための取り付け構成が提供され、取り付け構成を挿入構成に接合するための共同接合構造を備え、取り付け構成は、吊り下げ部材が貫通路を通して挿入されることを可能にする貫通路を規定する。
【００１９】
取り付け構成は、挿入構成によって収容されることができる誘導部材を備えていてもよい。取り付け構成中の通路は、誘導部材を通して伸長してもよい。誘導部材は、ツール収容空洞中に収容されてもよい。取り付け構成中の通路は、誘導部材を通して伸長してもよい。
【００２０】
誘導部材は、細長い吊下げ部材を挿入構成によって規定される貫通路に誘導するように構成されてもよい。細長い吊下げ部材が挿入構成中の通路を通して伸長するように、細長い吊下げ部材は誘導部材を通して構成される。方法は、細長い吊下げ部材が挿入構成中の通路を通して伸長するように、細長い吊下げ部材を、誘導部材を通して構成することを備えていてもよい。
【００２１】
第１の接合構造は、挿入構成の挿入部分上に設けられてもよい。第２の接合構造は、取り付け構成の誘導部材上に設けられてもよい。
【００２２】
第１および第２の接合構造は、それぞれ第１および第２の突出部材を備えていてもよい。第１の突出部材は、取り付け構成を挿入構成に接合するように、２の突出部材を係合する。
【００２３】
第１の突出部材の背後で係合する第２の突出部材により、取り付け構成は、前記挿入構成に接合されてもよい。
【００２４】
第１および第２の突出部材のうちの一方は、挿入構成または取り付け構成によって規定される収容構造に渡って伸長してもよい。第１および第２の突出部材のうちの他方は、収容構造中に収容されるように外側に伸長してもよい。
【００２５】
ここで説明する実施形態において、第１の突出部材は、挿入構成のツール収容空洞に渡って伸長してもよい。第１の突出部材は、ツール収容構造を突出する突出部材の形態であってもよい。第２の突出部材は、取り付け構成の誘導部材から外側に伸長してもよい。
【００２６】
第２の接合構造は、ツール収容空洞中に配置されてもよい。取り付け構成をねじることにより、挿入構成の取り付け構成への接合は影響を及ぼすことができる。方法は、第２の接合構造をツール収容空洞中に配置することと、挿入構成の取り付け構成への接合に影響を及ぼすように取り付け構成をねじることとを備えていてもよい。
【００２７】
第１の接合構造は、複数の第１の突出部材を備えていてもよい。第１の接合構造は、第１の突出部材のうちの２つを備えていてもよい。第２の接合構造は、複数の第２の突出部材を備えていてもよい。第２の接合構造は、第２の突出部材のうちの２つを備えていてもよい。
【００２８】
取り付け構成は、第２の接合構造が空洞中に収容されるとき、負荷分散部分を係合するための係合構造を含んでいてもよい。係合構造は、第２のフランジを備えていてもよい。
【００２９】
係合構造と負荷分散構造は、取り付け構成と挿入構成が互いに接合するとき、これらを互いにロックするための共同ロック構造を含んでいてもよい。ロック構造は、戻り止め構成を備えていてもよい。ロック構造は、負荷分散構造と係合構造を互いにロックするように互いに共同できる、傾斜くぼみと傾斜隆起を備えていてもよい。ロック構造は、１組の傾斜くぼみと、１組の傾斜隆起を備えていてもよい。
【００３０】
間隙は、第２の接合構造と係合構造との間に規定されてもよい。取り付け構成は、第２の接合構造と係合構造との間の間隙中に収容される第１の接合構造によって挿入構成に接合されてもよい。
【００３１】
第１の接合構造は、ツール収容構造に渡って互いに対向して配置されてもよい１組の対向する第１の突出部材を備えていてもよい。第２の接合構造は、誘導部材から互いに対抗して伸長してもよい１組の第２の突出部材を備えていてもよい。
【００３２】
取り付け構成は、取り付け構成をコネクタに締結するための締結構造をさらに含んでいてもよい。締結構造はねじ切りされてもよく、一方を他方にねじ止めすることにより、コネクタと取り付け構成が互いに締結されることができる。方法は、一方を他方にねじ止めすることにより、取り付け構成とコネクタを互いに締結することを備えていてもよい。
【００３３】
取り付け構造は、ねじ切りされた突起を含んでいてもよい。ねじ切りされた突起は、締結構造をコネクタに締結するようにコネクタ中のねじ穴にねじ止めされてもよい。方法は、締結構造をコネクタに締結するように、突起をねじ穴にねじ止めすることを備えていてもよい。
【００３４】
添付の図面を参照して、単なる例として、本発明の実施形態を説明する。
【図面の簡単な説明】
【００３５】
【図１】図１は、固定アセンブリの一部分を形成する、取り付け構成の斜視図である。
【図２】図２は、固定アセンブリの別の部分を形成する、挿入構成の斜視図である。
【図３】図３は、固定アセンブリの斜視図である。
【図４】図４は、固定アセンブリの側断面図である。
【図５】図５は、コネクタに締結された取り付け構成を示す側面図である。
【図６】図６は、取り付け構成が挿入構成に接合される前の、取り付け構成とコネクタの斜視図である。
【図７】図７は、コネクタに締結された固定アセンブリを示す斜視図である。
【図８】図８は、固定アセンブリに締結されたコネクタの側断面図である。
【図９】図９は、細長い吊下げ部材を物品に固定する１つの方法のステップを示している。
【図１０】図１０は、細長い吊下げ部材を物品に固定する１つの方法のステップを示している。
【図１１】図１１は、細長い吊下げ部材を物品に固定する１つの方法のステップを示している。
【図１２】図１２は、細長い吊下げ部材を物品に固定する１つの方法のステップを示している。
【図１３】図１３は、細長い吊下げ部材を物品に固定する１つの方法のステップを示している。
【図１４】図１４は、細長い吊下げ部材を物品に固定する１つの方法のステップを示している。
【図１５】図１５は、細長い吊下げ部材を物品に固定するさらなる方法の２つのステップを示している。
【図１６】図１６は、細長い吊下げ部材を物品に固定するさらなる方法の２つのステップを示している。
【詳細な説明】
【００３６】
図１および２は、ケーブル１００の形態（図１４および１６参照）の細長い吊下げ部材を、防音パネルの形態（図９から１６参照）の物品に固定するための、固定アセンブリ１０の２つの部分を示している。固定アセンブリ１０は、図２、３および４において組み立てて示されている。
【００３７】
固定アセンブリ１０は、取り付け構成１２と挿入構成１４を備えている。取り付け構成１２は、固定アセンブリ１０をコネクタ１０４に取り付ける。挿入構成１２は、遮音パネル１０２に挿入されることができ、固定アセンブリ１０をそこに固定する。
【００３８】
挿入構成１４は、第１の接合構造１６を備えている。取り付け構成１２は、第２の接合構造１８を備えている。第１および第２の接合構造１６、１８は、互いに共同して取り付け構成１２を挿入構成１４に接合する。
【００３９】
挿入構成１４は、挿入部分２０と、挿入部分２０から伸長する、径方向に外側に伸長し、負荷分散する第１のフランジ２２とを備えている。挿入部分２０は、開口２６を有する空洞２４を規定する。挿入構成１４の接合構造１６は、空洞２４に張り出す突出部材２８の形態の、１組の内側に伸長する対向する第１の突出部材を備えている。
【００４０】
突出部材２８は、空洞２４を通して伸張し、開口２６を規定する。突出部材２８は、図２、３、６、および、７中で破線によって示されている。
【００４１】
取り付け構成１２は、誘導部材３０を備えており、その目的は、以下で説明する。第２の接合構造１８は、誘導部材３０上に１組の対向して径方向の外側に伸張する第２の突出部材３２を備えている。第２の突出部材３２は、空洞２４に張り出す。１組の対向する入口凹部３４は、取り付け構成１２の第２の接合構造１８が空洞２４中に収容されることを可能にするように、突出部材２８間に規定される。
【００４２】
第２の突出部材３２は、入口凹部３４と同じサイズおよび形状のものであり、それにより、第２の突出部材３２を空洞２４中に収容することを可能にする。
【００４３】
空洞２４中に収容される第２の突出部材３２が入口凹部３４を通過するように、開口２６を通して第２の突出部材３２を挿入することにより、取り付け構成１２は、挿入構成１４に接合される。そのように収容されるとき、取り付け構成１２は、９０°だけねじられ、突出部材２８は、間隙３８中に収容され、したがって、取り付け構成１２は、挿入構成１４に接合する。
【００４４】
取り付け構成１２は、第２の突出部材３２を越えて伸張する第２のフランジ３６の形態の係合構造をさらに含んでいる。間隙３８は、各第２の突出部材３２と第２のフランジ３６との間に規定される。第２の突出部材３２が空洞２４中に収容されるとき、第２のフランジ３６は、第１のフランジ２２と係合する。
【００４５】
第１および第２のフランジ２２、３６は、第１のフランジ２２上の１組の傾斜くぼみと対応する１組の傾斜隆起３７Ｂとを備える戻り止め構成３７の形態の、共同ロック構造を備えている。取り付け構成１２を挿入構成１４にロックするために突出部材２８が間隙３８中に収容されるとき、隆起３７Ｂは、くぼみ３７Ａ中に収容される。
【００４６】
挿入部分２０は、ネジ山４０を含み、これは、挿入部分２０が防音パネル１０２にねじ止めされることを可能にするように構成されている。空洞２４は、ソケット４２を含んでおり、これは、六角形のソケットであってもよい。（「六角キー」として知られている）六角形の断面を有するキーの形態であってもよいドライバ１０６（図９参照）は、ソケット４２に挿入され、挿入部分２０を防音パネル１０２にねじ止めする。
【００４７】
取り付け構成１２は、ねじ切りされた突起４４の形態の締結構造をさらに含んでいる。ねじ切りされた突起４４は、コネクタ１０４にねじ止めされ、取り付け構成１２をそこに締結する。
【００４８】
コネクタ１０４は、クランプ部分１０８と接続部分１１０を備えている。クランプ部分１０８は、公開特許出願番号第ＧＢ２１１２９８０７号に開示されてえるクランプアセンブリのような、任意の適切なクランプ部分であることができる。接続部分１１０は、図１４中に示すような、側開口を介して、ケーブル１００が片側に出る傾斜を有する、ＧＢ２１１２９８０７中で開示されている補助部材と同じであってもよい。代替的に、接続部分１１０は、図１６中に示すように、ケーブル１００が、接続部分１１０を通して真っ直ぐに伸張することを可能にするように、一端から他へ伸長する貫通路を規定してもよい。
【００４９】
図４中に示すように、取り付け構成１２と、挿入構成１４は、それぞれの貫通路４６、４８を規定する。取り付け構成１２中の貫通路４６は、突起４４と誘導部材３０を通して伸張する。挿入構成１４中の貫通路４８は、空洞２４から挿入部分２０を通して伸張する。
【００５０】
図４から分かるように、取り付け構成１２が挿入構成１４に接合するとき、誘導部材３０は、ソケット４２に伸張する。それにより、ケーブル１００がコネクタ１０４から固定アセンブリ１０を通して押されるとき、ケーブル１００は、誘導部材３０によって通路４６から通路４８に誘導される。
【００５１】
図９から１４を参照すると、固定デバイス１０を使用する方法が示されている。図９は、挿入アセンブリ１４の防音パネル１０２への挿入を示している。ドライバ１０６は、六角ソケット４２に挿入され、ねじ切りされた挿入部分２０を防音パネル１０２にねじ止めする。
【００５２】
図１０は、挿入構成１４に接合されている取り付け構成１２を示している。取り付け構成１２は、コネクタ１０４に締結され、コネクタ１０４は、クランプ部分１０８と接続部分１１０を含んでいる。図１０から１４において、接続部分１１０は、図１４中に示すように、傾斜壁を有しており、その側において、ケーブル１００が接続部分１０８から伸張する。
【００５３】
取り付け構成１２は、図１１中に示すように、取り付け構成１２の突出部材３２を空洞２４内に収容して、挿入構成１４上に構成されている。取り付け構成１２とコネクタ１０４は、その後、挿入部分２０が防音パネル１０２にねじ止めされたのと同じ方向にねじられる。
【００５４】
図１２中に示す位置では、突出部材２８は、第２の突出部材３２と第２フランジ３６との間の隙間３８に収容され、それにより、取り付け構成１２と挿入構成１４を互いに接合する。
【００５５】
ケーブル１００は、その後、図１４中に示すように、コネクタのクランプ部分１０８を通して挿入され、接続部分１１０の側から出る。防音パネル１０２をそれぞれのケーブル１００に固定するように、複数の固定アセンブリを防音パネル１０２に取り付けることができる。上端を、屋根、天井、または、他の上部支持体に取り付けることができ、そこから防音パネルを吊り下げる。
【００５６】
図１５と１６は、固定アセンブリ１０を使用するさらなる方法を示している。図１５と１６中に示した方法は、挿入構成１２中と取り付け構成１４中に通路４６、４８を有して、その全体の長さに沿って同軸上に伸張する直線状の通路を接続部分１１０が有するという点で、図９から１４中に示した方法とは異なる。
【００５７】
挿入部材１４の防音パネル１０２への挿入の第１のステップは、図９中に示されているものと同じであり、したがって、再度示すことはしない。
【００５８】
図１５は、防音パネル１０２を穿孔するステップを示している。穿孔ツール１１２は、コネクタ１０４を通して、および、通路４６、４８を通して挿入され、そこを通る溝を生成するように防音パネル１０２を貫通し、ケーブル１００が防音パネル１０２を通して押されることを可能にする。
【００５９】
この方法における後続するステップは、図１０から１３中に示すものと同じであり、したがって、再度示すことはしない。図１６は、ケーブル１００が通路４６、４８を通って、および、防音パネル１０２を貫通した溝を通って伸張する最終ステップを示している。図８は、通路４６、４８を通り、および、コネクタ１０４を通って伸張するケーブル１００を示している。図８中では、ケーブル１００は、破線で示されている。
【００６０】
ケーブル１００は、防音パネル１０２を通して、示している防音パネル１０２の下の（示していない）更なる物品に通されることができる。追加の固定アセンブリは、さらなる物品に据え付けられ、それが、ケーブル１００に固定されることを可能にする。さらなる物品は、さらなる防音パネルまたは別の適切な物品、例えば、照明アセンブリまたはケーブルトレイであることがある。
【００６１】
したがって、防音パネル１０２をケーブル１００に固定するために使用されることができる説明した固定アセンブリ１０があり、それにより、防音パネル１０２をケーブル１００上で吊り下げる。固定アセンブリ１０は、通路４６、４８を規定し、これらを通して、ケーブル１００が固定アセンブリを通して、および、防音パネル１０２を通して、さらなる防音パネルおよび固定アセンブリの下まで伸張することを可能にし、防音パネルの下１０２にさらなる防音パネルを吊り下げる。
【００６２】
本発明の範囲から逸脱することなく、さまざまな修正を行うことができる。
例えば、固定アセンブリ１０とともに使用されることができる他の物品が存在し、これらは、固定アセンブリ１０によって吊り下げられることができる。このような物品は、挿入部分２０をねじ止めできる素材で形成される、または、そこに事前に形成された適切なねじ切りされた穴を有するのいずれかであることができる。
【図１】
2020509306.tif 000003
【図２】
2020509306.tif 000004
【図３】
2020509306.tif 000005
【図４】
2020509306.tif 000006
【図５】
2020509306.tif 000007
【図６】
2020509306.tif 000008
【図７】
2020509306.tif 000009
【図８】
2020509306.tif 000010
【図９】
2020509306.tif 000011
【図１０】
2020509306.tif 000012
【図１１】
2020509306.tif 000013
【図１２】
2020509306.tif 000014
【図１３】
2020509306.tif 000015
【図１４】
2020509306.tif 000016
【図１５】
2020509306.tif 000017
【図１６】
2020509306.tif 000018
【国際調査報告】
2020509306.tif 000019
2020509306.tif 000020